【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
プラントで稼働する機器の運転状態の履歴を示す運転履歴情報と、前記機器に対して介入操作を行った履歴を示す操作履歴情報と、に基づいて前記機器の運転状態と前記介入操作とを対応付けた過去介入履歴情報を生成し、当該過去介入履歴情報に基づいて前記介入操作を行う条件を含むルール情報を生成する操作提案ルール生成部と、
機器の運転状態を示す運転状態情報を取得し、当該取得した運転状態情報と前記ルール情報とに基づいて、前記運転状態情報に対応する前記介入操作を決定する運転状態比較判定部と、
前記運転状態比較判定部が決定した前記介入操作の実施を案内する操作提案情報を出力する操作指示情報出力部と、
前記操作指示情報出力部が出力した前記操作提案情報に対して実施された操作情報を記録する操作実施情報記録部と、
前記操作実施情報記録部の記録した前記操作情報に基づいて、前記操作提案情報に対する実施状況を算出する実施状況判定部と、
を備え、
前記操作指示情報出力部は、前記実施状況判定部の算出した前記実施状況に応じて前記操作提案情報を出力する、
運転支援システム。
【請求項２】
前記運転状態比較判定部が前記介入操作の決定に用いる前記運転状態情報に含まれる状態量の設定と、その状態量の値の種類の設定と、を受け付ける比較用項目設定部、
をさらに備える請求項１に記載の運転支援システム。
【請求項３】
前記操作提案情報の出力モードの選択を受け付ける出力モード設定部、
をさらに備え、
前記操作指示情報出力部は、前記出力モード設定部が受け付けた出力モードの設定に基づいて、同じ型式の他のプラントで行った前記介入操作に係る操作提案情報を出力する
請求項１から請求項２の何れか１項に記載の運転支援システム。
【請求項４】
前記操作提案情報は、前記機器に対する操作の種類および操作量を含む
請求項１から請求項３の何れか１項に記載の運転支援システム。
【請求項５】
前記操作提案ルール生成部は、前記過去介入履歴情報を統計的手法または機械学習手法のうち少なくとも一方により学習することにより、前記介入操作を行う条件を含むルール情報を生成する、
請求項１から請求項４の何れか１項に記載の運転支援システム。
【請求項６】
前記操作指示情報出力部は、前記運転状態比較判定部が決定した前記介入操作の実施を指示する制御信号を出力する、
請求項１に記載の運転支援システム。
【請求項７】
プラントで稼働する機器の運転状態の履歴を示す運転履歴情報と、前記機器に対して介入操作を行った履歴を示す操作履歴情報と、に基づいて前記機器の運転状態と前記介入操作とを対応付けた過去介入履歴情報を生成し、当該過去介入履歴情報に基づいて前記介入操作を行う条件を含むルール情報を生成するステップと、
機器の運転状態を示す運転状態情報を取得し、当該運転状態情報と前記ルール情報とに基づいて、前記運転状態情報に対応する前記介入操作を決定するステップと、
前記決定した前記介入操作の実施を案内する操作提案情報を出力するステップと、
前記出力した前記操作提案情報に対して実施された操作情報を記録するステップと、
前記記録した前記操作情報に基づいて、前記操作提案情報に対する実施状況を算出するステップと、
前記算出した前記実施状況に応じて前記操作提案情報を出力するステップと、
を有する運転支援方法。
【請求項８】
プラント制御装置のコンピュータを、
プラントで稼働する機器の運転状態の履歴を示す運転履歴情報と、前記機器に対して介入操作を行った履歴を示す操作履歴情報と、に基づいて前記機器の運転状態と前記介入操作とを対応付けた過去介入履歴情報を生成し、当該過去介入履歴情報に基づいて前記介入操作を行う条件を含むルール情報を生成する手段、
機器の運転状態を示す運転状態情報を取得し、当該取得した運転状態情報と前記ルール情報とに基づいて、前記運転状態情報に対応する前記介入操作を決定する手段、
前記決定した前記介入操作の実施を案内する操作提案情報を出力する手段、
前記出力した前記操作提案情報に対して実施された操作情報を記録する手段、
前記記録した前記操作情報に基づいて、前記操作提案情報に対する実施状況を算出する手段、
前記算出した前記実施状況に応じて前記操作提案情報を出力する手段、
として機能させるためのプログラム。
【手続補正２】
【補正対象書類名】明細書
【補正対象項目名】０００７
【補正方法】変更
【補正の内容】
【０００７】
本発明の第１の態様は、プラントで稼働する機器の運転状態の履歴を示す運転履歴情報と前記機器に対して介入操作を行った履歴を示す操作履歴情報とに基づいて前記機器の運転状態と前記介入操作とを対応付けた過去介入履歴情報を生成し、当該過去介入履歴情報に基づいて前記介入操作を行う条件を含むルール情報を生成する操作提案ルール生成部と、機器の運転状態を示す運転状態情報を取得し、当該取得した運転状態情報と前記ルール情報とに基づいて、前記運転状態情報に対応する前記介入操作を決定する運転状態比較判定部と、前記運転状態比較判定部が決定した前記介入操作の実施を案内する操作提案情報を出力する操作指示情報出力部と、前記操作指示情報出力部が出力した前記操作提案情報に対して実施された操作情報を記録する操作実施情報記録部と、前記操作実施情報記録部の記録した前記操作情報に基づいて、前記操作提案情報に対する実施状況を算出する実施状況判定部と、を備え、前記操作指示情報出力部は、前記実施状況判定部の算出した前記実施状況に応じて前記操作提案情報を出力する運転支援システムである。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本発明の第２の態様における運転支援システムは、前記運転状態比較判定部が前記介入操作の決定に用いる前記運転状態情報に含まれる状態量の設定と、その状態量の値の種類の設定と、を受け付ける比較用項目設定部、をさらに備える。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本発明の第３の態様における運転支援システムは、前記操作提案情報の出力モードの選択を受け付ける出力モード設定部、をさらに備え、前記操作指示情報出力部は、前記出力モード設定部が受け付けた出力モードの設定に基づいて、同じ型式の他のプラントで行った前記介入操作に係る操作提案情報を出力する。
【手続補正８】
【補正対象書類名】明細書
【補正対象項目名】００１３
【補正方法】変更
【補正の内容】
【００１３】
本発明の第４の態様における前記操作提案情報は、前記機器に対する操作の種類および操作量を含む。
【手続補正９】
【補正対象書類名】明細書
【補正対象項目名】００１４
【補正方法】変更
【補正の内容】
【００１４】
本発明の第５の態様における前記操作提案ルール生成部は、前記過去介入履歴情報を統計的手法または機械学習手法のうち少なくとも一方により学習することにより、前記介入操作を行う条件を含むルール情報を生成する。
【手続補正１０】
【補正対象書類名】明細書
【補正対象項目名】００１５
【補正方法】変更
【補正の内容】
【００１５】
本発明の第６の態様における前記操作指示情報出力部は、前記運転状態比較判定部が決定した前記介入操作の実施を指示する制御信号を出力する。
【手続補正１１】
【補正対象書類名】明細書
【補正対象項目名】００１６
【補正方法】変更
【補正の内容】
【００１６】
本発明の第７の態様は、プラントで稼働する機器の運転状態の履歴を示す運転履歴情報と、前記機器に対して介入操作を行った履歴を示す操作履歴情報と、に基づいて前記機器の運転状態と前記介入操作とを対応付けた過去介入履歴情報を生成し、当該過去介入履歴情報に基づいて前記介入操作を行う条件を含むルール情報を生成するステップと、機器の運転状態を示す運転状態情報を取得し、当該運転状態情報と前記ルール情報とに基づいて、前記運転状態情報に対応する前記介入操作を決定するステップと、前記決定した前記介入操作の実施を案内する操作提案情報を出力するステップと、前記出力した前記操作提案情報に対して実施された操作情報を記録するステップと、前記記録した前記操作情報に基づいて、前記操作提案情報に対する実施状況を算出するステップと、前記算出した前記実施状況に応じて前記操作提案情報を出力するステップと、を有する運転支援方法である。
【手続補正１２】
【補正対象書類名】明細書
【補正対象項目名】００１７
【補正方法】変更
【補正の内容】
【００１７】
本発明の第８の態様は、プラント制御装置のコンピュータを、プラントで稼働する機器の運転状態の履歴を示す運転履歴情報と、前記機器に対して介入操作を行った履歴を示す操作履歴情報と、に基づいて前記機器の運転状態と前記介入操作とを対応付けた過去介入履歴情報を生成し、当該過去介入履歴情報に基づいて前記介入操作を行う条件を含むルール情報を生成する手段、機器の運転状態を示す運転状態情報を取得し、当該取得した運転状態情報と前記ルール情報とに基づいて、前記運転状態情報に対応する前記介入操作を決定する手段、前記決定した前記介入操作の実施を案内する操作提案情報を出力する手段、前記出力した前記操作提案情報に対して実施された操作情報を記録する手段、前記記録した前記操作情報に基づいて、前記操作提案情報に対する実施状況を算出する手段、前記算出した前記実施状況に応じて前記操作提案情報を出力する手段、として機能させるためのプログラムである。